(57)【要約】【課題】ドライバを端末装置にインストールすることなく、端末装置に記憶されている画像の印刷処理を、画像処理装置により実行する。【解決手段】通信システム１では、ＵＲＬ等の位置情報が、管理サーバ１１０からＭＦＰ５０に送信される。そして、携帯端末８０は、その位置情報を利用して、管理サーバにアクセスすることに応じて、元画像データを管理サーバに送信し、その元画像データを受信した管理サーバは、受信した元画像データを識別する識別情報を携帯端末に送信する。次に、識別情報を特定することが可能な特定情報が、ＭＦＰから管理サーバに送信される。そして、管理サーバは、特定情報により特定される識別情報で識別される元画像データに基づく対象画像データを、ＭＦＰに送信する。これにより、ドライバを携帯端末にインストールすることなく、携帯端末に記憶されている画像の印刷処理を、ＭＦＰにより実行することが可能となる。【選択図】図１
2018106652.tif 000002
【特許請求の範囲】
【請求項１】
画像処理装置と端末装置との各々と通信可能な管理サーバであって、
前記管理サーバへ元画像データを送信するための位置情報であって前記管理サーバの位置情報を要求する位置情報要求を、前記画像処理装置から受信する位置情報要求受信部と、
前記位置情報要求の受信に応じて、前記位置情報を前記画像処理装置に送信する位置情報送信部と、
前記画像処理装置から前記位置情報を取得した前記端末装置が前記位置情報を利用して前記管理サーバにアクセスすることに応じて、前記端末装置から前記元画像データを受信する元画像データ受信部と、
前記元画像データを記憶する元画像データ記憶部と、
前記元画像データを識別する識別情報を前記端末装置に送信する識別情報送信部と、
前記識別情報を特定することが可能な特定情報を、前記画像処理装置から受信する特定情報受信部と、
前記特定情報の受信に応じて、前記特定情報により特定される前記識別情報で識別される前記元画像データに基づく対象画像データを、前記画像処理装置に送信する対象画像データ送信部と、
を備える管理サーバ。
【請求項２】
前記位置情報送信部は、
前記画像処理装置の固有情報に対応する前記位置情報を送信する請求項１に記載の管理サーバ。
【請求項３】
前記管理サーバは、
前記固有情報と１以上の前記識別情報とが関連付けて記憶されており、前記画像処理装置からの前記識別情報のリスト要求に応じて、前記リスト要求をした前記画像処理装置の前記固有情報と関連付けられている前記１以上の識別情報を、前記画像処理装置に送信する識別情報送信部を備え、
前記特定情報受信部は、
前記画像処理装置に送信した前記１以上の識別情報のうちの何れかの前記特定情報を受信する請求項２に記載の管理サーバ。
【請求項４】
前記管理サーバは、
前記画像処理装置の機種を識別する機種識別情報と、前記固有情報とが関連付けて記憶されており、前記元画像データ受信部により受信された前記元画像データが、当該元画像データの受信時に用いられた前記位置情報に対応する前記固有情報と関連付けられている前記機種識別情報の機種で処理可能であるか否かを判断する判断部を備え、
前記元画像データ記憶部は、
前記元画像データが前記機種識別情報の機種で処理可能である場合に、前記元画像データを記憶し、前記元画像データが前記機種識別情報の機種で処理不能である場合に、前記元画像データを記憶しない請求項２又は３に記載の管理サーバ。
【請求項５】
前記管理サーバは、
前記端末装置が、前記位置情報送信部により送信された前記位置情報と異なる情報を利用して前記管理サーバにアクセスすることに応じて、前記固有情報の入力を受け付ける固有情報受付部と、
前記固有情報受付部により受け付けた前記固有情報を、前記識別情報と関連付けて記憶する固有情報記憶部と、
を備える請求項２乃至４の何れか１項に記載の管理サーバ。
【請求項６】
前記管理サーバは、
画像処理の設定に関する設定情報を、前記端末装置から受け付ける設定情報受付部と、
前記設定情報受付部により受け付けた前記設定情報を、前記識別情報と関連付けて記憶する設定情報記憶部と、
を備え、
前記対象画像データ送信部は、
前記対象画像データとともに、当該対象画像データに応じた前記識別情報と関連付けられている前記設定情報を含む画像処理指示を、前記画像処理装置に送信する請求項１乃至５の何れか１項に記載の管理サーバ。
【請求項７】
前記管理サーバは、
前記画像処理装置から受信した、当該画像処理装置の機種を識別する機種識別情報を、前記識別情報と関連付けて記憶する機種識別情報記憶部を備え、
前記設定情報受付部は、
前記機種識別情報により識別される前記画像処理装置の機種で設定可能な設定項目についての前記設定情報を、当該機種識別情報と関連付けられている前記識別情報により識別される前記元画像データの画像処理の設定に関する情報として受信する請求項６に記載の管理サーバ。
【請求項８】
前記管理サーバが、
前記識別情報と関連付けられた認証情報を、前記端末装置に送信する認証情報送信部を備え、
前記対象画像データ送信部は、
前記特定情報と前記認証情報との受信に応じて、受信した前記特定情報により特定される前記識別情報に関連付けられた前記認証情報と、受信した前記認証情報とが同じ場合に、前記対象画像データを、前記画像処理装置に送信する請求項１乃至７の何れか１項に記載の管理サーバ。
【請求項９】
前記位置情報送信部は、
前記位置情報を含む印刷用画像データと、前記位置情報を含む２次元コードと、前記位置情報の無線タグへの書き込み指示との少なくとも１つを送信する請求項１乃至８の何れか１項に記載の管理サーバ。
【請求項１０】
前記管理サーバは、
前記対象画像データ送信部による前記対象画像データの送信に応じて、前記元画像データと前記識別情報との少なくとも一方を削除する削除部を備える請求項１乃至９の何れか１項に記載の管理サーバ。
【請求項１１】
端末装置と通信可能な画像処理装置であって、
前記画像処理装置へ元画像データを送信するための位置情報であって前記画像処理装置の位置情報を要求する位置情報要求を受け付ける位置情報要求受付部と、
前記位置情報要求の受信に応じて、前記位置情報を出力する位置情報出力部と、
前記画像処理装置から前記位置情報を取得した前記端末装置が前記位置情報を利用して前記画像処理装置にアクセスすることに応じて、前記端末装置から前記元画像データを受信する元画像データ受信部と、
前記元画像データを記憶する元画像データ記憶部と、
前記元画像データを識別する識別情報を前記端末装置に送信する識別情報送信部と、
前記識別情報を特定することが可能な特定情報を受け付ける特定情報受付部と、
前記特定情報の受け付けに応じて、前記特定情報により特定される前記識別情報で識別される前記元画像データに基づく対象画像データに対する画像処理を実行する画像処理部と、
を備える画像処理装置。
【発明の詳細な説明】
【技術分野】
【０００１】
本発明は、画像処理装置と端末装置との各々と通信可能な管理サーバ等に関する。
【背景技術】
【０００２】
端末装置に記憶されている画像データに基づく画像の印刷処理を、画像処理装置によって行う場合には、一般的に、下記特許文献に記載されているように、画像処理装置のデバイスドライバを端末装置にインストールする必要がある。
【先行技術文献】
【特許文献】
【０００３】
【特許文献１】特開２０１３−１５６９５２号公報
【発明の概要】
【発明が解決しようとする課題】
【０００４】
本発明は、画像処理装置のデバイスドライバを端末装置にインストールすることなく、端末装置に記憶されている画像データに基づく画像の印刷処理を、画像処理装置によって行うことが可能な技術を提供する。
【課題を解決するための手段】
【０００５】
上記課題を解決するために、本明細書によって開示される管理サーバは、画像処理装置と端末装置との各々と通信可能な管理サーバであって、前記管理サーバへ元画像データを送信するための位置情報であって前記管理サーバの位置情報を要求する位置情報要求を、前記画像処理装置から受信する位置情報要求受信部と、前記位置情報要求の受信に応じて、前記位置情報を前記画像処理装置に送信する位置情報送信部と、前記画像処理装置から前記位置情報を取得した前記端末装置が前記位置情報を利用して前記管理サーバにアクセスすることに応じて、前記端末装置から前記元画像データを受信する元画像データ受信部と、前記元画像データを記憶する元画像データ記憶部と、前記元画像データを識別する識別情報を前記端末装置に送信する識別情報送信部と、前記識別情報を特定することが可能な特定情報を、前記画像処理装置から受信する特定情報受信部と、前記特定情報の受信に応じて、前記特定情報により特定される前記識別情報で識別される前記元画像データに基づく対象画像データを、前記画像処理装置に送信する対象画像データ送信部と、を備えることを特徴とする。
【０００６】
上記課題を解決するために、本明細書によって開示される画像処理装置は、端末装置と通信可能な画像処理装置であって、前記画像処理装置へ元画像データを送信するための位置情報であって前記画像処理装置の位置情報を要求する位置情報要求を受け付ける位置情報要求受付部と、前記位置情報要求の受信に応じて、前記位置情報を出力する位置情報出力部と、前記画像処理装置から前記位置情報を取得した前記端末装置が前記位置情報を利用して前記画像処理装置にアクセスすることに応じて、前記端末装置から前記元画像データを受信する元画像データ受信部と、前記元画像データを記憶する元画像データ記憶部と、前記元画像データを識別する識別情報を前記端末装置に送信する識別情報送信部と、前記識別情報を特定することが可能な特定情報を受け付ける特定情報受付部と、前記特定情報の受け付けに応じて、前記特定情報により特定される前記識別情報で識別される前記元画像データに基づく対象画像データに対する画像処理を実行する画像処理部と、を備えることを特徴とする。
【０００７】
上記構成では、ＵＲＬ等の位置情報が、管理サーバから画像処理装置に送信される。そして、端末装置は、その位置情報を利用して、管理サーバにアクセスすることに応じて、元画像データを管理サーバに送信し、その元画像データを受信した管理サーバは、受信した元画像データを識別する識別情報を端末装置に送信する。次に、識別情報を特定することが可能な特定情報が、画像処理装置から管理サーバに送信される。そして、管理サーバは、特定情報により特定される識別情報で識別される元画像データに基づく対象画像データを、画像処理装置に送信する。このように、上記構成では、ＵＲＬ等の位置情報に基づいて、元画像データが管理サーバにアップロードされ、画像処理装置から特定情報が管理サーバに送信されることで、元画像データに基づく対象画像データが画像処理装置に送信される。これにより、画像処理装置のデバイスドライバを端末装置にインストールすることなく、端末装置に記憶されている画像データに基づく画像の印刷処理を、画像処理装置により実行することが可能となる。
【０００８】
なお、本明細書に開示される技術は、種々の形態で実現することが可能であり、例えば、制御方法、装置の機能または上記方法を実現するためのコンピュータプログラム、そのコンピュータプログラムを記録した記録媒体、等の形態で実現することができる。
【図面の簡単な説明】
【０００９】
【図１】通信システム１のブロック図である。
【図２】通信システム１の作動状態を示すシーケンス図である。
【図３】通信システム１の作動状態を示すシーケンス図である。
【図４】通信システム１の作動状態を示すシーケンス図である。
【図５】通信システム１の作動状態を示すシーケンス図である。
【図６】通信システム１の作動状態を示すシーケンス図である。
【図７】ジョブ一覧画面１２０を示す図である。
【図８】使用方法画面１３０を示す図である。
【図９】アップロード画面１５０を示す図である。
【図１０】登録完了画面１６０を示す図である。
【図１１】ジョブ一覧画面１２０を示す図である。
【図１２】ＰＩＮコード入力画面１７０を示す図である。
【図１３】モデル情報を示す図である。
【図１４】登録デバイス情報を示す図である。
【図１５】ジョブ情報を示す図である。
【発明を実施するための形態】
【００１０】
＜通信システムの構成＞
図１に、本願に係る実施形態として例示される通信システム１のブロック図を示す。通信システム１は、仲介サーバ１０、一時保存サーバ３０、ＭＦＰ（Multifunction Peripheralの略）（本発明の画像処理装置の一例）５０、携帯端末（本発明の端末装置の一例）８０を備える。なお、通信システム１では、仲介サーバ１０と一時保存サーバ３０とによって、管理サーバ（本発明の管理サーバの一例）１１０が構成されている。
【００１１】
通信システム１では、仲介サーバ１０と一時保存サーバ３０とＭＦＰ５０と携帯端末８０とが、インターネット１００を介して互いに通信可能である。なお、ＭＦＰ５０は、ＭＦＰ５０が設置される自宅，オフィス等で用いられるローカルエリアネットワーク（以下、ＬＡＮと記載する）に所属しており、当該ＬＡＮ及びインターネット１００を介して、仲介サーバ１０と一時保存サーバ３０と携帯端末８０と通信を行う。また、携帯端末８０は、ＬＴＥ（Long Term Evolutionの略）を利用して、インターネット１００を介して、仲介サーバ１０と一時保存サーバ３０とＭＦＰ５０と通信を行う。ＬＴＥは、標準化団体３ＧＰＰ（3 rd Generation Partnership Projectの略）によって規定された通信規格に準拠した無線通信方式である。
【００１２】
また、通信システム１では、ＭＦＰ５０と携帯端末８０とが、近距離無線通信規格の一種であるＮＦＣ（Near Field Communicationの略）通信を用いて、互いに通信可能である。ＮＦＣ通信では、携帯端末８０をＭＦＰ５０に接近させることで、通信が確立される。
【００１３】
仲介サーバ１０は、ＣＰＵ（Central Processing Unitの略）１２、記憶部１４、ネットワークＩ／Ｆ１６を主に備えている。これらの構成要素は、バス１８を介して互いに通信可能とされている。
【００１４】
ＣＰＵ１２は、記憶部１４内の制御プログラム２０に従って処理を実行する。制御プログラム２０は、通信システム１を用いたプリント処理を実行するためのプログラムである。記憶部１４は、ＲＡＭ（Random Access Memoryの略）、ＲＯＭ（Read Only Memoryの略）、フラッシュメモリー、ＨＤＤ（Hard Disk Driveの略）、ＣＰＵ１２が備えるバッファなどが組み合わされて構成されており、データ記憶領域２２を備える。データ記憶領域２２は、制御プログラム２０の実行に必要なデータなどを記憶する領域である。また、ネットワークＩ／Ｆ１６は、インターネット１００等を介して信号の送受信を行うためのＩ／Ｆである。
【００１５】
一時保存サーバ３０は、ＣＰＵ３２、記憶部３４、ネットワークＩ／Ｆ３６を主に備えている。これらの構成要素は、バス３８を介して互いに通信可能とされている。
【００１６】
ＣＰＵ３２は、記憶部３４内の制御プログラム４０に従って処理を実行する。制御プログラム４０は、通信システム１を用いたプリント処理を実行するためのプログラムである。記憶部３４は、ＲＡＭ、ＲＯＭ、フラッシュメモリー、ＨＤＤ、ＣＰＵ３２が備えるバッファなどが組み合わされて構成されており、データ記憶領域４２を備える。データ記憶領域４２は、制御プログラム４０の実行に必要なデータなどを記憶する領域である。また、ネットワークＩ／Ｆ３６は、インターネット１００等を介して信号の送受信を行うためのＩ／Ｆである。
【００１７】
ＭＦＰ５０は、ＣＰＵ５２、記憶部５４、パネル５６、ボタン入力部５８、プリンタ６０、スキャナ６２、ネットワークＩ／Ｆ６６、ＮＦＣＩ／Ｆ６８を主に備えている。これらの構成要素は、バス６９を介して互いに通信可能とされている。
【００１８】
ＣＰＵ５２は、記憶部５４内の制御プログラム７０に従って処理を実行する。制御プログラム７０は、通信システム１を用いたプリント処理を実行するためのプログラムである。記憶部５４は、ＲＡＭ、ＲＯＭ、フラッシュメモリー、ＨＤＤ、ＣＰＵ５２が備えるバッファなどが組み合わされて構成されており、データ記憶領域７２を備える。データ記憶領域７２は、制御プログラム７０の実行に必要なデータなどを記憶する領域である。
【００１９】
パネル５６は、ＭＦＰ５０の各種機能を表示する表示面を備える。ボタン入力部５８は、タッチセンサを有し、パネル５６と一体的に構成されており、入力媒体のパネル５６への接近・接触を検出し、ユーザによるボタン操作を受け付ける。
【００２０】
プリンタ６０は、印刷を実行する部位である。スキャナ６２は、スキャンを実行する部位である。ネットワークＩ／Ｆ６６は、ＬＡＮ，インターネット１００等を介して信号の送受信を行うためのＩ／Ｆである。ＮＦＣＩ／Ｆ６８は、ＮＦＣ通信を用いて信号の送受信を行うためのＩ／Ｆである。
【００２１】
携帯端末８０は、ＣＰＵ８２、記憶部８４、パネル８６、ボタン入力部８８、カメラ８９、ネットワークＩ／Ｆ９０、ＮＦＣＩ／Ｆ９２を主に備えている。これらの構成要素は、バス９４を介して互いに通信可能とされている。
【００２２】
ＣＰＵ８２は、記憶部８４内の制御プログラム９６に従って処理を実行する。制御プログラム９６は、通信システム１を用いたプリント処理を実行するためのプログラムである。記憶部８４は、ＲＡＭ、ＲＯＭ、フラッシュメモリー、ＨＤＤ、ＣＰＵ８２が備えるバッファなどが組み合わされて構成されており、データ記憶領域９８を備える。データ記憶領域９８は、制御プログラム９６の実行に必要なデータなどを記憶する領域である。
【００２３】
パネル８６は、携帯端末８０の各種機能を表示する表示面を備える。ボタン入力部８８は、タッチセンサを有し、パネル８６と一体的に構成されており、入力媒体のパネル８６への接近・接触を検出し、ユーザによるボタン操作を受け付ける。カメラ８９は、撮像を行う部位である。ネットワークＩ／Ｆ９０は、インターネット１００等を介して信号の送受信を行うためのＩ／Ｆである。ＮＦＣＩ／Ｆ６８は、ＮＦＣ通信を用いて信号の送受信を行うためのＩ／Ｆである。
【００２４】
＜管理サーバを利用したＭＦＰによるプリント処理＞
通信システム１では、管理サーバ１１０を利用して、ＭＦＰ５０にプリント処理等、各種処理を実行させることが可能である。例えば、管理サーバ１１０を利用して、ＭＦＰ５０にプリント処理を実行させる場合には、ユーザが、ＭＦＰ５０によって管理サーバ１１０にアクセスすることで、所定のＵＲＬ（Uniform Resource Locatorの略）を取得する。そして、ユーザは、取得したＵＲＬを用いて携帯端末８０によって管理サーバ１１０にアクセスし、任意の画像データをアップロードする。この際、ユーザは、ＰＩＮコードを管理サーバ１１０から取得する。そして、ユーザが、再度、ＭＦＰ５０によって管理サーバ１１０にアクセスし、ＰＩＮコードを入力することで、ＭＦＰ５０は、画像データを管理サーバ１１０から取得し、ＭＦＰ５０によるプリント処理が実行される。
【００２５】
以下に、管理サーバ１１０を利用したＭＦＰ５０によるプリント処理について、図２乃至図６に示すシーケンス図を用いて、詳しく説明する。なお、管理サーバ１１０を構成する仲介サーバ１０のデータ記憶領域２２には、ＭＦＰ５０等の画像処理装置に関する情報が記憶されている。画像処理装置に関する情報としては、図１３に示すように、画像処理装置毎に、画像処理装置のモデル名（本発明の機種識別情報の一例）と、そのモデル名の機種の画像処理装置で印刷可能なファイル名と、そのモデル名の機種の画像処理装置で処理可能な印刷設定（以下、「印刷可能設定」と記載する）（本発明の設定項目の一例）とが関連付けて記憶されている。なお、モデル名と印刷可能なファイル名と印刷可能設定とが関連付けられた情報を、モデル情報と記載する。また、下記シーケンスの仲介サーバ１０における各処理は、制御プログラム２０に従うＣＰＵ１２によって実行され、下記シーケンスの一時保存サーバ３０における各処理は、制御プログラム４０に従うＣＰＵ３２によって実行され、下記シーケンスのＭＦＰ５０における各処理は、制御プログラム７０に従うＣＰＵ５２によって実行され、下記シーケンスの携帯端末８０における各処理は、制御プログラム９６に従うＣＰＵ８２によって実行される。
【００２６】
具体的には、まず、ユーザが、ＭＦＰ５０において、管理サーバ１１０を用いた各種処理を実行するためのボタンを操作する（Ｍ１００：図２参照）。これにより、ＭＦＰ５０は、サービス一覧情報の取得要求を仲介サーバ１０に送信する（Ｍ１０２）。なお、ＭＦＰ５０は、仲介サーバ１０に各種情報を送信する際に、ＭＡＣアドレス（Media Access Controlの略）等のデバイス固有情報と、モデル名とを含んだ状態で各種情報を送信する。また、サービス一覧情報は、管理サーバ１１０を用いて画像処理装置で実行することが可能な全ての処理を含む情報であり、仲介サーバ１０のデータ記憶領域２２には、画像処理装置の機種毎、つまり、モデル名毎に、サービス一覧情報が記憶されている。このため、仲介サーバ１０は、サービス一覧情報の取得要求の受信に応じて、受信したモデル名に対応するサービス一覧情報をＭＦＰ５０に送信する（Ｍ１０４）。
【００２７】
なお、サービス一覧情報には、管理サーバ１１０を用いて画像処理装置で実行することが可能な全ての処理の中から任意の処理を選択するための画面（以下、「サービス一覧画面」と記載する）の画像データが含まれている。このため、サービス一覧情報を受信したＭＦＰ５０は、サービス一覧画面をパネル５６に表示する（Ｍ１０６）。サービス一覧画面には、管理サーバ１１０を用いて画像処理装置で実行することが可能な全ての処理に対応して、複数の操作ボタンが表示されており、それら複数の操作ボタンの中にジョブプリントボタンが有る。
【００２８】
そして、ユーザが、サービス一覧画面においてジョブプリントボタンを操作すると（Ｍ１０８）、ＭＦＰ５０は、ジョブ一覧情報の取得要求を仲介サーバ１０に送信する（Ｍ１１０）。ジョブ一覧情報は、後に詳しく説明するが、プリント処理で実行されるジョブ、つまり、プリント処理の対象となる画像データを識別するための識別ＩＤ（以下、「ジョブＩＤ」と記載する）（本発明の識別情報および特定情報の一例）の一覧を示す情報であり、そのジョブＩＤの一覧のなかから任意のジョブＩＤを選択するための画面（以下、「ジョブ一覧画面」と記載する）の画像データを含む。しかしながら、ジョブＩＤは、プリント処理の対象となる画像データが管理サーバ１１０にアップロードされることで、仲介サーバ１０に登録されるため、Ｍ１１０でジョブ一覧情報の取得要求が仲介サーバ１０に送信された時点において、プリント処理の対象となる画像データは管理サーバ１１０にアップロードされておらず、ジョブＩＤは仲介サーバ１０に登録されていない。このため、仲介サーバ１０は、ジョブＩＤを含まないジョブ一覧画面の画像データを、ジョブ一覧情報としてＭＦＰ５０に送信する（Ｍ１１２）。
【００２９】
ＭＦＰ５０は、ジョブ一覧情報としてジョブ一覧画面の画像データを受信すると、図７に示すように、ジョブ一覧画面１２０をパネル５６に表示する（Ｍ１１４）。ジョブ一覧画面１２０には、ジョブＩＤを表示し、そのジョブＩＤを選択するための選択ボタン１２２と、使用方法ボタン１２４とが表示される。ただし、Ｍ１１２で送信されたジョブ一覧画面の画像データには、ジョブＩＤは含まれていないため、選択ボタン１２２に、ジョブＩＤは表示されない。また、使用方法ボタン１２４は、管理サーバ１１０を用いたプリント処理の使用方法を確認するためのボタンであり、ユーザは、管理サーバ１１０を用いたプリント処理を実行するべく、その使用方法ボタン１２４を操作する（Ｍ１１６）。
【００３０】
これにより、ＭＦＰ５０は、使用方法の取得要求を仲介サーバ１０に送信する（Ｍ１１８）。仲介サーバ１０は、使用方法の取得要求を受信すると、ＭＦＰ５０を識別するためのデバイスＩＤ（本発明の固有情報の一例）を作成する。そして、仲介サーバ１０は、図１４に示すように、そのデバイスＩＤと、デバイス固有情報と、モデル名とを関連付けてデータ記憶領域２２に記憶する（Ｍ１２０）。なお、先に説明したように、ＭＦＰ５０は、デバイス固有情報とモデル名とを含んだ状態で各種情報を送信するため、使用方法の取得要求に含まれているデバイス固有情報とモデル名とが、作成されたデバイスＩＤと関連付けて記憶される。これにより、ＭＦＰ５０が仲介サーバ１０に登録される。なお、デバイスＩＤとデバイス固有情報とモデル名とが関連付けられた情報を、登録デバイス情報と記載する。本実施例において、ＭＦＰ５０のデバイス固有情報は、「１１２２３３」であり、ＭＦＰ５０のモデル名は、「ｍｎ−１」であり、デバイスＩＤは「１２３４５６」として登録されるものとする。
【００３１】
次に、仲介サーバ１０は、使用方法画面情報をＭＦＰ５０に送信する（Ｍ１２２）。使用方法画面情報は、管理サーバ１１０を用いたプリント処理の使用方法をユーザに告知するための画面（以下、「使用方法画面」と記載する）の画像データを含んでいる。ただし、この画像データは、テキストデータであり、使用方法画面には、後に説明するが、ＱＲコード（株式会社デンソーウェーブの登録商標）の画像が含まれる。このため、ＭＦＰ５０は、使用方法画面情報を受信すると、ＱＲコードの画像要求を仲介サーバ１０に送信し（Ｍ１２４）、仲介サーバ１０は、ＱＲコードの画像データをＭＦＰ５０に送信する（Ｍ１２６）。これにより、ＭＦＰ５０では、図８に示すように、使用方法画面１３０がパネル５６に表示される（Ｍ１２８）。
【００３２】
使用方法画面１３０には、ＵＲＬ表示欄１３２と、ＱＲコード（本発明の位置情報の一例）１３４とが表示される。ＵＲＬ表示欄１３２には、管理サーバ１１０に画像データをアップロードするために用いられるＵＲＬ（本発明の位置情報の一例）が表示される。ＵＲＬ表示欄１３２に表示されるＵＲＬは、ＭＦＰ５０の固有のものであり、そのＵＲＬには、ＭＦＰ５０のデバイスＩＤ「１２３４５６」が含まれている。また、ＱＲコード１３４は、ＵＲＬ表示欄１３２に表示されているＵＲＬをコード化したものである。これにより、ＵＲＬ表示欄１３２に表示されるＵＲＬを、携帯端末８０においてブラウザのアドレスバーに入力すること、若しくは、ＱＲコード１３４を携帯端末８０のカメラによって読み込むことで、管理サーバ１１０に画像データをアップロードするためウェブサイトにアクセスすることが可能となる。
【００３３】
また、ＵＲＬの入力、及び、ＱＲコード１３４の読み込みだけでなく、携帯端末８０をＭＦＰ５０に接近させ、ＮＦＣ通信を確立させることでも、管理サーバ１１０に画像データをアップロードするためウェブサイトにアクセスすることが可能である。詳しくは、Ｍ１２２でＭＦＰ５０に送信される使用方法画面情報には、ＮＦＣ通信を用いたＵＲＬの無線タグへの書き込み指示（本発明の位置情報の一例）が含まれている。ＭＦＰ５０は、この書き込み指示に応じて、ＮＦＣＩ／Ｆ６８の図示しない無線タグに上述のＵＲＬを書き込む。このため、携帯端末８０をＭＦＰ５０に接近させ、ＭＦＰ５０と携帯端末８０との間でＮＦＣ通信が確立することで、ＭＦＰ５０は、携帯端末８０に、ＮＦＣ通信によって、ＵＲＬ表示欄１３２に表示されるＵＲＬを送信する。これにより、携帯端末８０は、管理サーバ１１０に画像データをアップロードするためウェブサイトにアクセスできる。つまり、図８においてＱＲコード１３４の隣に記載されているように、「ＵＲＬの入力、ＱＲコードの読み込み、ＮＦＣ通信のいずれかを実行して下さい」とのコメントに従って、ＵＲＬの入力、ＱＲコードの読み込み、ＮＦＣ通信のいずれかを実行することで、管理サーバ１１０に画像データをアップロードするためウェブサイトにアクセスすることができる。
【００３４】
さらに、使用方法画面１３０には、デバイスＩＤ表示欄１３６と印刷ボタン１３８とが表示される。デバイスＩＤ表示欄１３６には、ＭＦＰ５０のデバイスＩＤが表示される。また、印刷ボタン１３８は、ＵＲＬ表示欄１３２に表示されているＵＲＬおよび、ＱＲコード１３４を印刷するためのボタンである。詳しくは、ユーザが、使用方法画面１３０において、印刷ボタン１３８を操作すると（Ｍ１３０：図３参照）、ＭＦＰ５０は、印刷要求を仲介サーバ１０に送信する（Ｍ１３２）。
【００３５】
次に、仲介サーバ１０は、ダウンロード印刷指示をＭＦＰ５０に送信し（Ｍ１３４）、ＭＦＰ５０は、ダウンロード用のＵＲＬの取得要求を仲介サーバ１０に送信する（Ｍ１３６）。続いて、仲介サーバ１０は、ダウンロード用のＵＲＬをＭＦＰ５０に送信する（Ｍ１３８）。ダウンロード用のＵＲＬは、ＵＲＬ表示欄１３２に表示されているＵＲＬおよび、ＱＲコード１３４が記された画像の画像データ（以下、「使用方法画像データ」と記載する）が格納されているウェブサイトのＵＲＬであり、仲介サーバ１０のＵＲＬとなっている。このため、ＭＦＰ５０は、受信したダウンロード用のＵＲＬを用いてアクセスすることで、仲介サーバ１０にアクセスし、使用方法画像データの取得要求を送信する（Ｍ１４０）。
【００３６】
仲介サーバ１０は、使用方法画像データの取得要求を受信すると、使用方法画像データをＭＦＰ５０に送信する（Ｍ１４２）。そして、ＭＦＰ５０は、受信した使用方法画像データに基づく画像を印刷する（Ｍ１４４）。これにより、ユーザは、ＵＲＬ表示欄１３２に表示されているＵＲＬおよび、ＱＲコード１３４が印刷された用紙を取得し、その用紙を用いて、管理サーバ１１０に画像データをアップロードするためウェブサイトにアクセスすることができる。なお、ＭＦＰ５０において印刷が完了すると、ダウンロード印刷が完了した旨の通知が、ＭＦＰ５０から仲介サーバ１０に送信される（Ｍ１４６）。そして、仲介サーバ１０は、終了指示をＭＦＰ５０に送信し（Ｍ１４８）、ＭＦＰ５０は、パネル５６に待機画面を表示する（Ｍ１５０）。
【００３７】
そして、ユーザが、印刷用紙、若しくは使用方法画面１３０のＵＲＬの入力と、印刷用紙、若しくは使用方法画面１３０からのＱＲコードの読み込みと、ＭＦＰ５０と携帯端末８０との間のＮＦＣ通信の確立との何れかを実行することで（Ｍ２００：図４参照）、携帯端末８０によって仲介サーバ１０にアクセスする（Ｍ２０２）。この際、仲介サーバ１０は、アクセスに用いられたＵＲＬに含まれるデバイスＩＤを抽出し、そのデバイスＩＤが登録されているか否かを判断する（Ｍ２０４）。つまり、仲介サーバ１０は、ＵＲＬに含まれるデバイスＩＤが、図１４に示す登録デバイス情報に記憶されているか否かを判断する。
【００３８】
そして、デバイスＩＤが登録されていない場合（Ｍ２０４：未登録）には、仲介サーバ１０は、デバイスＩＤの入力画面の画像データを携帯端末８０に送信し（Ｍ２０６）、携帯端末８０は、デバイスＩＤの入力画面をパネル８６に表示する（Ｍ２０８）。その画面には、デバイスＩＤの入力欄、及び、デバイスＩＤの入力を促すコメントが表示され、ユーザは、そのコメントに従って、入力欄にデバイスＩＤを入力する。なお、ユーザは、使用方法画面１３０のデバイスＩＤ表示欄１３６に表示されていたデバイスＩＤを何らかの手法により記憶しており、そのデバイスＩＤを入力欄に入力する。そして、携帯端末８０においてデバイスＩＤの入力が完了すると、そのデバイスＩＤが仲介サーバ１０に送信される（Ｍ２１０）。そして、Ｍ２１２の処理が実行される。
【００３９】
また、ＵＲＬに含まれるデバイスＩＤが仲介サーバ１０に登録されている場合（Ｍ２０４：登録済）にも、Ｍ２１２の処理が実行される。Ｍ２１２では、仲介サーバ１０が、アップロード画面の画像データを携帯端末８０に送信する（Ｍ２１２）。そして、携帯端末８０は、受信した画像データに基づいて、図９に示すように、パネル８６にアップロード画面１５０を表示する（Ｍ２１４）。アップロード画面１５０には、選択ボタン１５２と送信ボタン１５４とが表示される。選択ボタン１５２は、プリント処理の対象となる画像データを選択するためのボタンであり、ユーザが選択ボタン１５２を操作することで、携帯端末８０のデータ記憶領域９８に記憶されている画像データのうちの任意の画像データを選択する。そして、ユーザがアップロード画面１５０において送信ボタン１５４を操作することで（Ｍ２１６）、選択ボタン１５２の操作により選択された画像データ（以下、「選択画像データ」と記載する）（本発明の元画像データの一例）が、携帯端末８０から仲介サーバ１０に送信される（Ｍ２１８）。
【００４０】
仲介サーバ１０は、選択画像データを受信すると、その選択画像データが、仲介サーバ１０に登録されている画像処理装置で印刷可能なデータであるか否かを判断する（Ｍ２１９）。詳しくは、仲介サーバ１０では、Ｍ２０２でアクセスに用いられたＵＲＬに含まれるデバイスＩＤ、若しくは、Ｍ２１０で受信したデバイスＩＤと関連付けて記憶されているモデル名が、図１４の登録デバイス情報に基づいて特定される。次に、そのモデル名に関連付けて記憶されている印刷可能ファイルが、図１３のモデル情報に基づいて特定される。そして、特定された印刷可能ファイルに、選択画像データのファイル形式が含まれていない場合に、選択画像データが、仲介サーバ１０に登録されている画像処理装置で印刷不能なデータであると判断され（Ｍ２１９：印刷不能）、仲介サーバ１０は、携帯端末８０にエラー情報を送信する（Ｍ２２０）。携帯端末８０は、エラー情報を受信すると、選択された画像を印刷することができないことを示す画面を、パネル８６に表示する（Ｍ２２１）。
【００４１】
一方、特定された印刷可能ファイルに、選択画像データのファイル形式が含まれている場合に、選択画像データが、仲介サーバ１０に登録されている画像処理装置で印刷可能なデータであると判断される（Ｍ２１９：印刷可能）。そして、仲介サーバ１０は、ファイルＩＤの要求を一時保存サーバ３０に送信し（Ｍ２２２：図５参照）、一時保存サーバ３０は、その要求を受信すると、ファイルＩＤを発行し、発行したファイルＩＤを仲介サーバ１０に送信する（Ｍ２２３）。次に、仲介サーバ１０は、受信したファイルＩＤとともに、選択画像データを一時保存サーバ３０に送信する（Ｍ２２４）。そして、一時保存サーバ３０は、受信したファイルＩＤと選択画像データとを関連付けて、データ記憶領域４２に記憶する（Ｍ２２５）。これにより、プリント処理の対象となる画像データの管理サーバ１１０へのアップロードが完了する。
【００４２】
一時保存サーバ３０は、ファイルＩＤと選択画像データとを関連付けて記憶すると、登録完了通知を仲介サーバ１０に送信する（Ｍ２２６）。そして、仲介サーバ１０は、ジョブＩＤを発行し、図１５に示すように、発行したジョブＩＤと、Ｍ２１９で用いたデバイスＩＤと、Ｍ２２２で受信したファイルＩＤと、選択画像データのファイル形式とを関連付けて、データ記憶領域２２に記憶する。なお、ジョブＩＤとデバイスＩＤとファイルＩＤとファイル形式とが関連付けられた情報を、ジョブ情報と記載する。
【００４３】
次に、仲介サーバ１０は、印刷設定画面データを携帯端末８０に送信する（Ｍ２３０）。印刷設定画面データは、印刷設定を行うための画面（以下、「印刷設定画面」と記載する）の画像データであり、仲介サーバ１０のデータ記憶領域２２には、画像処理装置の機種毎の印刷設定画面データが記憶されている。詳しくは、図１３のモデル情報に示すように、モデル名「ｍｎ−１」の画像処理装置では、両面印刷可能であり、Ａ３，Ａ４，レターサイズの用紙の印刷処理が可能である。一方、モデル名「ｍｎ−２」の画像処理装置では、両面印刷不能であり、Ａ４，レターサイズの用紙の印刷処理が可能である。このため、モデル名「ｍｎ−１」の画像処理装置に対応する印刷設定画面データは、両面印刷の選択，Ａ３，Ａ４，レターサイズの何れかの用紙サイズの選択が可能な印刷設定画面の画像データとされており、モデル名「ｍｎ−２」の画像処理装置に対応する印刷設定画面データは、両面印刷の選択はできず、Ａ４，レターサイズの何れかの用紙サイズの選択が可能な印刷設定画面の画像データとされている。
【００４４】
そして、仲介サーバ１０において、Ｍ２２８で記憶したデバイスＩＤと関連付けて記憶されているモデル名が、図１４の登録デバイス情報に基づいて特定される。次に、そのモデル名の画像処理装置に対応する印刷設定画面データが特定され、その印刷設定画面データが、仲介サーバ１０から携帯端末８０に送信される（Ｍ２３０）。そして、携帯端末８０において、印刷設定画面がパネル８６に表示される（Ｍ２３２）。これにより、印刷設定画面には、プリンタ処理を実行する画像処理装置で処理可能な設定項目だけが表示される。
【００４５】
この際、ユーザは、印刷設定画面において、任意の印刷設定を選択し、入力する（Ｍ２３４）。そして、携帯端末８０は、印刷設定画面において入力された印刷設定に関する情報（以下、「印刷情報」と記載する）を仲介サーバ１０に送信する（Ｍ２３６）。これにより、プリンタ処理を実行する画像処理装置で処理可能な設定項目についての印刷情報が、仲介サーバ１０に送信される。仲介サーバ１０は、印刷情報を受信すると、選択画像データを、印刷情報に応じた印刷用画像データに変換する必要があるか否かを判断する。
【００４６】
この際、選択画像データを変換する必要があると判断された場合に、仲介サーバ１０は、変換指示を一時保存サーバ３０に送信する（Ｍ２３８）。変換指示には、ファイルＩＤと変換パラメータとが含まれる。変換パラメータは、選択画像データの変換を詳細に示すパラメータである。このため、一時保存サーバ３０は、変換指示を受信すると、ファイルＩＤに関連付けられた選択画像データを、変換パラメータに応じて変換する。そして、一時保存サーバ３０は、先に発行したファイルＩＤと異なるファイルＩＤを新たに発行し、その発行されたファイルＩＤと、変換した画像データとを関連付けて、データ記憶領域４２に記憶する（Ｍ２３９）。つまり、Ｍ２２５において、ファイルＩＤと選択画像データとが関連付けて記憶されるとともに、本処理において、そのファイルＩＤと異なるファイルＩＤと、選択画像データを変換した画像データとが関連付けて記憶される。
【００４７】
そして、一時保存サーバ３０は、新たに発行したファイルＩＤを仲介サーバ１０に送信する（Ｍ２４０）。仲介サーバ１０は、ファイルＩＤを受信すると、図１５のジョブ情報に含まれるファイルＩＤを、受信したファイルＩＤに更新する（Ｍ２４２）。これにより、ジョブ情報に含まれるファイルＩＤが、変換された選択画像データに対応するファイルＩＤとされる。そして、仲介サーバ１０は、ＰＩＮコード（本発明の認証情報の一例）を発行し、その発行したＰＩＮコードと、Ｍ２３６で受信した印刷情報とを、Ｍ２２８で発行したジョブＩＤと関連付けて、図１５のジョブ情報として記憶する（Ｍ２４３）。これにより、ジョブ情報では、デバイスＩＤとジョブＩＤとファイルＩＤとファイル形式とＰＩＮコードと印刷情報とが関連付けて記憶される。なお、ジョブ情報には、Ｍ２４３でＰＩＮコード等が記憶された日時が、登録日時として記憶される。さらに、ジョブ情報には、エラー回数も記憶されるが、エラー回数については、後程、詳しく説明する。
【００４８】
仲介サーバ１０においてＰＩＮコード等が記憶されると、登録完了画面の画像データが携帯端末８０に送信される（Ｍ２４４）。登録完了画面の画像データには、Ｍ２４３で記憶されたＰＩＮコード及びジョブＩＤが含まれている。そして、携帯端末８０は、登録完了画面の画像データを受信すると、図１０に示すように、パネル８６に登録完了画面１６０が表示される（Ｍ２４６）。登録完了画面１６０には、ジョブＩＤ及びＰＩＮコードが表示されている。これにより、ユーザは、ジョブＩＤ及びＰＩＮコードを取得し、そのジョブＩＤ及びＰＩＮコードを用いて、選択画像データに基づく画像のプリント処理を実行する。
【００４９】
詳しくは、ユーザが、ＭＦＰ５０において、管理サーバ１１０を用いた各種処理を実行するためのボタンを操作する（Ｍ３００：図６参照）。この処理は、Ｍ１００（図２参照）と同じ処理であり、Ｍ３００の処理が実行されると、Ｍ３０２〜Ｍ３１０の処理が実行されるが、Ｍ３０２〜Ｍ３１０の処理は、Ｍ１０２〜Ｍ１１０の処理と同じであるため、説明を省略する。そして、Ｍ３１０において、ＭＦＰ５０が、ジョブ一覧情報の取得要求を仲介サーバ１０に送信すると（Ｍ３１０）、仲介サーバ１０は、ジョブ一覧情報の取得要求とともに送信されるデバイス固有情報と関連付けて記憶されているデバイスＩＤを、図１４の登録デバイス情報に基づいて特定する。続いて、仲介サーバ１０は、そのデバイスＩＤと関連付けて記憶されているジョブＩＤを、図１５のジョブ情報に基づいて特定する（Ｍ３１２）。
【００５０】
仲介サーバ１０は、ジョブＩＤを特定すると、そのジョブＩＤを含むジョブ一覧画面の画像データを、ジョブ一覧情報としてＭＦＰ５０に送信する（Ｍ３１４）。ＭＦＰ５０は、ジョブ一覧情報としてジョブ一覧画面の画像データを受信すると、図１１に示すように、ジョブ一覧画面１２０をパネル５６に表示する（Ｍ３１６）。このジョブ一覧画面１２０には、Ｍ１１４（図２参照）で表示されるジョブ一覧画面１２０（図７参照）と同様に、選択ボタン１２２及び使用方法ボタン１２４が表示される。ただし、図１１のジョブ一覧画面１２０では、図７のジョブ一覧画面１２０と異なり、選択ボタン１２２にジョブＩＤが表示される。
【００５１】
そこで、ユーザは、選択ボタン１２２に表示されているジョブＩＤが、Ｍ２４６（図５参照）で取得したジョブＩＤであることを確認し、その選択ボタン１２２を操作する（Ｍ３１８）。これにより、ＭＦＰ５０は、選択ボタン１２２に表示されているジョブＩＤを仲介サーバ１０に送信する（Ｍ３２０）。仲介サーバ１０は、ジョブＩＤを受信すると、ＰＩＮコード入力画面の画像データをＭＦＰ５０に送信する（Ｍ３２２）。そして、ＭＦＰ５０は、図１２に示すように、パネル５６にＰＩＮコード入力画面１７０を表示する（Ｍ３２４）。ＰＩＮコード入力画面１７０には、ＰＩＮコード入力を入力するためのＰＩＮコード入力欄１７２が表示される。
【００５２】
そして、ユーザが、ＰＩＮコード入力欄１７２に、Ｍ２４６（図５参照）で取得したＰＩＮコードを入力すると（Ｍ３２６）、ＭＦＰ５０は、その入力されたＰＩＮコードを仲介サーバ１０に送信する（Ｍ３２８）。仲介サーバ１０は、ＰＩＮコードを受信すると、ＭＦＰ５０への印刷指示の送信を許可するか否かの判断を行う（Ｍ３２９）。詳しくは、仲介サーバ１０は、受信したＰＩＮコードが、Ｍ３２０で受信したジョブＩＤと関連付けて記憶されているＰＩＮコードと一致するか否かを、図１５のジョブ情報に基づいて判断する（Ｍ３２９）。つまり、仲介サーバ１０は、Ｍ３２０で受信したジョブＩＤと関連付けて記憶されているＰＩＮコードを、図１５のジョブ情報に基づいて特定し、その特定されたＰＩＮコードと、受信したＰＩＮコードとが一致するか否かを判断する。
【００５３】
この際、ＰＩＮコードが一致しない場合には、ＭＦＰ５０への印刷指示の送信を許可しないと判断され（Ｍ３２９：送信不許可）、Ｍ３２０で受信したジョブＩＤと関連付けてジョブ情報として記憶されているエラー回数が、カウントアップされる（Ｍ３３０）。なお、エラー回数は、初期状態で０とされており、カウントアップされたエラー回数が予め設定された回数を超えた場合に、Ｍ３２０で受信したジョブＩＤに関連付けられているジョブ情報が削除される。
【００５４】
また、ＰＩＮコードが一致した場合には、Ｍ３２０で受信したジョブＩＤと関連付けてジョブ情報として記憶されている登録日時が特定され、その登録日時からの経過時間が演算される。つまり、登録日時から、仲介サーバ１０がＭ３２８でＰＩＮコードを受信した日時までの経過時間が演算される。そして、演算された経過時間が予め設定された時間を超えている場合には、ＭＦＰ５０への印刷指示の送信を許可しないと判断され（Ｍ３２９：送信不許可）、Ｍ３２０で受信したジョブＩＤに関連付けられているジョブ情報が削除される（Ｍ３３０）。
【００５５】
また、演算された経過時間が予め設定された時間を超えていない場合に、ＭＦＰ５０への印刷指示の送信を許可すると判断され（Ｍ３２９：送信許可）、仲介サーバ１０は、印刷指示をＭＦＰ５０に送信する（Ｍ３３１）。つまり、受信したＰＩＮコードが登録されているＰＩＮコードと一致し、登録されていないＰＩＮコードの入力が設定回数以内であり、選択画像の登録日時から設定時間以内にＰＩＮコードが入力された場合にのみ、ＭＦＰ５０への印刷指示の送信を許可すると判断され（Ｍ３２９：送信許可）、仲介サーバ１０は印刷指示をＭＦＰ５０に送信する。これにより、選択画像の機密性を適切に担保することが可能となる。なお、ＭＦＰ５０に送信される印刷指示は、Ｍ３２０で受信したジョブＩＤと関連付けてジョブ情報として記憶されているファイル形式及び印刷情報に基づいて作成される。これにより、印刷指示を受信したＭＦＰ５０は、Ｍ２３４（図５参照）で入力された印刷設定に従った印刷処理を実行することが可能となる。
【００５６】
ＭＦＰ５０は、印刷指示を受信すると、ダウンロード用ＵＲＬの取得要求を仲介サーバ１０に送信する（Ｍ３３２）。仲介サーバ１０は、ダウンロード用ＵＲＬの取得要求を受信すると、Ｍ３２０で受信したジョブＩＤと関連付けてジョブ情報として記憶されているファイルＩＤを特定し、そのファイルＩＤと関連付けて一時保存サーバ３０に記憶されている選択画像データを取得するためのＵＲＬを作成する。そして、仲介サーバ１０は、作成したＵＲＬを、ダウンロード用ＵＲＬとしてＭＦＰ５０に送信する（Ｍ３３４）。
【００５７】
続いて、ＭＦＰ５０は、ダウンロード用ＵＲＬを用いて、一時保存サーバ３０にアクセスし、印刷用画像データの取得要求を一時保存サーバ３０に送信する（Ｍ３３６）。一時保存サーバ３０は、その取得要求に応じて、Ｍ２２４（図５参照）で送信された選択画像データ、若しくは、Ｍ２３８（図５参照）の変換指示に従って変換した選択画像データを、印刷用画像データ（本発明の対象画像データの一例）としてＭＦＰ５０に送信する（Ｍ３３８）。そして、ＭＦＰ５０は、受信した印刷用画像データに基づく画像の印刷処理を、Ｍ３３０で受信した印刷指示に従って実行する（Ｍ３４０）。
【００５８】
また、ＭＦＰ５０は、印刷処理が完了すると、完了通知を仲介サーバ１０に送信する（Ｍ３４２）。仲介サーバ１０は、完了通知を受信すると、Ｍ３２０で受信したジョブＩＤと関連付けて記憶されているジョブ情報を削除する（Ｍ３４４）。これにより、印刷処理の完了したジョブ情報が削除され、選択画像の機密性を担保することが可能となる。そして、仲介サーバ１０は、ＭＦＰ５０に終了指示を送信する（Ｍ３４６）。これにより、管理サーバ１１０を利用したＭＦＰ５０によるプリント処理が終了する。
【００５９】
このように、通信システム１では、ＭＦＰ５０によって仲介サーバ１０にアクセスし、アクセスにより表示されたジョブ一覧画面１２０において、使用方法ボタン１２４が操作されるだけで、ＭＦＰ５０が仲介サーバ１０に登録される。一方、従来の手法では、ＭＦＰ５０等のデバイスにおいて、種々の設定を実行し、その設定された情報がサーバ等に送信されることで、デバイスが登録されていた。また、従来の手法では、携帯端末８０等の端末装置に、ＭＦＰ５０のドライバをインストールすることで、端末装置に記憶されている画像データの印刷処理が実行されていた。一方、通信システム１では、上述したように、ＭＦＰ５０によって仲介サーバ１０にアクセスし、アクセスにより表示されたジョブ一覧画面１２０において、使用方法ボタン１２４が操作されるだけで、画像データをアップロードするためのＵＲＬ，ＱＲコード等を取得できる。そして、そのＵＲＬ，ＱＲコード等を利用して画像データを、管理サーバ１１０にアップロードした後に、ＭＦＰ５０にＰＩＮコードを入力すれば、その画像データに基づく画像の印刷処理を実行できる。つまり、通信システム１では、ドライバのインストール等を行うことなく、端末装置に記憶されている画像データの印刷処理を実行することができる。このことを鑑みれば、管理サーバ１１０を利用したＭＦＰ５０によるプリント処理の操作性を向上させることが可能となる。
【００６０】
また、通信システム１では、ＭＦＰ５０と携帯端末８０とは、ＮＦＣ通信で情報を送受信する以外に、通信を行わず、ＭＦＰ５０と管理サーバ１１０とが、それぞれ、管理サーバ１１０と通信可能であれば、管理サーバ１１０を利用したＭＦＰ５０によるプリント処理を実行することが可能である。つまり、ＭＦＰ５０と携帯端末８０とが同じＬＡＮに所属していなくても、管理サーバ１１０を利用したＭＦＰ５０によるプリント処理を実行することが可能である。これにより、種々の環境下にあるＭＦＰ５０と携帯端末８０とを用いて、管理サーバ１１０を利用したＭＦＰ５０によるプリント処理を実行することが可能となる。
【００６１】
さらに言えば、通信システム１では、管理サーバ１１０を利用したＭＦＰ５０によるプリント処理が実行される際に、ＭＦＰ５０および携帯端末８０は、管理サーバ１１０から送信される情報に従って作動している。このため、管理サーバ１１０を利用したＭＦＰ５０によるプリント処理の機能を追加する際に、ＭＦＰ５０及び携帯端末８０において制御プログラムのバージョンアップを行う必要が無く、管理サーバ１１０において制御プログラムを更新するだけでよい。つまり、管理サーバ１１０を利用したＭＦＰ５０によるプリント処理を行うユーザは、制御プログラムのバージョンアップ等を行うことなく、プリント処理の機能更新に対応することが可能となり、ユーザの負担を軽減することが可能となる。
【００６２】
また、プリント処理の対象となる画像データは、一時保存サーバ３０に保存されるため、ＭＦＰ５０等の画像処理装置に、大容量のメモリを搭載する必要が無い。これにより、画像処理装置のコストを削減することが可能となる。
【００６３】
なお、Ｍ１１８及びＭ１３２を実行する仲介サーバ１０のＣＰＵ１２は、位置情報要求受信部の一例である。Ｍ１２２及びＭ１４２を実行する仲介サーバ１０のＣＰＵ１２は、位置情報送信部の一例である。Ｍ２１８を実行する仲介サーバ１０のＣＰＵ１２は、元画像データ受信部の一例である。Ｍ２２５を実行する一時保存サーバ３０のＣＰＵ３２は、元画像データ記憶部の一例である。Ｍ２４４を実行する仲介サーバ１０のＣＰＵ１２は、識別情報送信部の一例である。Ｍ３２０を実行する仲介サーバ１０のＣＰＵ１２は、特定情報受信部及び特定情報受付部の一例である。Ｍ３３８を実行する一時保存サーバ３０のＣＰＵ３２は、対象画像データ送信部の一例である。Ｍ３１４を実行する仲介サーバ１０のＣＰＵ１２は、識別情報送信部の一例である。Ｍ２１０を実行する仲介サーバ１０のＣＰＵ１２は、固有情報受付部の一例である。Ｍ２１９を実行する仲介サーバ１０のＣＰＵ１２は、判断部の一例である。Ｍ２２８を実行する仲介サーバ１０のＣＰＵ１２は、固有情報記憶部及び、機種識別情報記憶部の一例である。Ｍ２３６を実行する仲介サーバ１０のＣＰＵ１２は、設定情報受付部の一例である。Ｍ２４３を実行する仲介サーバ１０のＣＰＵ１２は、設定情報記憶部の一例である。Ｍ２４４を実行する仲介サーバ１０のＣＰＵ１２は、認証情報送信部の一例である。Ｍ３４０を実行するＭＦＰ５０のＣＰＵ５２は、画像処理部の一例である。Ｍ３４４を実行する仲介サーバ１０のＣＰＵ１２は、削除部の一例である。
【００６４】
なお、本発明は、上記実施形態に限定されるものではなく、当業者の知識に基づいて種々の変更、改良を施した種々の態様で実施することが可能である。具体的には、上記実施形態では、仲介サーバ１０と一時保存サーバ３０とが、それぞれ独立したウェブサーバにより構成されているが、仲介サーバ１０と一時保存サーバ３０とが１つのウェブサーバにより構成されてもよい。
【００６５】
また、ＭＦＰ５０が、仲介サーバ１０と一時保存サーバ３０との機能を有していてもよい。つまり、上記実施形態では、仲介サーバ１０と一時保存サーバ３０とＭＦＰ５０との間で、情報の送受信が行われているが、１台の装置内部で情報の入出力が行われてもよい。なお、ＭＦＰ５０が、仲介サーバ１０と一時保存サーバ３０との機能を有している場合には、仲介サーバ１０と一時保存サーバ３０とＭＦＰ５０とにより構成される装置が、本発明の画像処理装置の一例となる。また、この場合に、Ｍ１１８及びＭ１３２を実行する仲介サーバ１０のＣＰＵ１２は、位置情報要求受付部の一例である。また、この場合に、Ｍ１２２及びＭ１４２を実行する仲介サーバ１０のＣＰＵ１２は、位置情報出力部の一例である。
【００６６】
また、上記実施形態では、管理サーバ１１０を利用したＭＦＰ５０によるプリント処理が実行された後に（Ｍ３４０）、仲介サーバ１０に記憶されているジョブ情報が削除されているが（Ｍ３４４）、一時保存サーバ３０に記憶されている選択画像データが削除されてもよい。
【００６７】
また、上記実施形態では、仲介サーバ１０にアクセスするためのＵＲＬにデバイスＩＤが含まれており、ＭＦＰ５０毎、つまり、デバイス毎に、ＵＲＬが異なっているが、全てのデバイスに対して、共通のＵＲＬを用いてもよい。
【００６８】
また、上記実施形態では、仲介サーバ１０からＭＦＰ５０に送信されたジョブ一覧情報に基づいてＭＦＰ５０にジョブ一覧画面１２０が表示され（Ｍ３１６）、そのジョブ一覧画面１２０に表示されたジョブＩＤが選択された（Ｍ３１８）後に、その選択されたジョブＩＤが仲介サーバ１０に送信されるが（Ｍ３２０）、ＭＦＰ５０において、ジョブ一覧画面１２０を表示せず、ジョブＩＤの入力を受け付けて、入力されたジョブＩＤを仲介サーバ１０に送信してもよい。すなわち、仲介サーバ１０はジョブ一覧情報をＭＦＰ５０に送付しなくてもよい。
【００６９】
また、上記実施形態では、仲介サーバ１０において、携帯端末８０から送信された選択画像データが、ＭＦＰ５０で印刷可能なファイル形式か否かが判断されているが（Ｍ２１９）、このような判断を行わなくてもよい。すなわち、Ｍ２１９〜Ｍ２２１の処理は実行しなくても良い。
【００７０】
また、上記実施形態では、仲介サーバ１０において、携帯端末８０からのアクセスに用いられたＵＲＬに含まれるデバイスＩＤが登録されていない場合（Ｍ２０４：未登録）に、デバイスＩＤの入力を携帯端末８０に要求しているが、携帯端末８０にエラー情報を送信し、以降の処理を行わなくてもよい。すなわち、Ｍ２０４〜Ｍ２１０の処理は実行しなくても良い。
【００７１】
また、上記実施形態では、印刷用画像データとともに、印刷設定を含む印刷指示がＭＦＰ５０に送信されているが、このような態様によらず、例えば、印刷用画像データがＭＦＰ５０に送信された後に、ＭＦＰ５０において、印刷設定を行って、印刷処理を実行してもよい。すなわち、Ｍ２３０〜Ｍ２４２の処理を実施しなくてもよい。また、このような場合には、ＭＦＰ５０は、ＭＦＰ５０からのモデル情報の受信，印刷可能設定の記憶，印刷設定画面データの送信等を行わなくてもよい。また、仲介サーバ１０はＭ２３０〜Ｍ２４２の処理を実行するが、Ｍ２３０において、各モデルに共通の印刷設定画面データをＭＦＰ５０に送信する構成であっても良い。
【００７２】
また、上記実施形態では、ＰＩＮコードが一致した場合に、ＭＦＰ５０に印刷用画像データが送信されているが、ＰＩＮコード等の認証情報を用いることなく、ＭＦＰ５０に印刷用画像データが送信されてもよい。すなわち、Ｍ３２９〜Ｍ３３０等の処理を実施しなくてもよい。
【００７３】
また、上記実施形態では、ＣＰＵ１２、ＣＰＵ３２等によって図２乃至図６に示す処理が実行される例を説明したが、これら処理は、ＣＰＵ１２等に限らず、ＡＳＩＣや他の論理集積回路により実行されてもよいし、これら処理が、ＣＰＵやＡＳＩＣ、他の論理集積回路が協働することにより実行されてもよい。
【符号の説明】
【００７４】
１０：仲介サーバ、３０：一時保存サーバ、５０：ＭＦＰ、８０：携帯端末、１１０：管理サーバ
【図１】
2018106652.tif 000003
【図２】
2018106652.tif 000004
【図３】
2018106652.tif 000005
【図４】
2018106652.tif 000006
【図５】
2018106652.tif 000007
【図６】
2018106652.tif 000008
【図７】
2018106652.tif 000009
【図８】
2018106652.tif 000010
【図９】
2018106652.tif 000011
【図１０】
2018106652.tif 000012
【図１１】
2018106652.tif 000013
【図１２】
2018106652.tif 000014
【図１３】
2018106652.tif 000015
【図１４】
2018106652.tif 000016
【図１５】
2018106652.tif 000017